(57)【要約】【課題】遊技者に対して効果的な表示を行うことができる遊技機を提供することを目的とする。【解決手段】表示装置５０の前面に、一部にレンズアレイ７０が設けられている透光体６０を配置する。レンズアレイ７０は、透光部材７１、７３と、それぞれの光軸方向が平行となるように配置されているマイクロ凸レンズ７２ａ、７２ｂ、７４ａ、７４ｂを有している。また、レンズアレイ７０は、表示装置５０に表示される変動図柄の位置に対応する位置に設けられている。【選択図】        図４
2004180853.tif 000002
【特許請求の範囲】
【請求項１】
抽選開始条件の成立により抽選を行い、抽選結果を抽選図柄の変動表示結果によって表示手段に表示する遊技機であって、
表示手段の前面側に配置され、一部がレンズアレイで構成されている透光体を備え、
レンズアレイは、表示手段に表示される変動図柄に対応する位置に設けられている、
遊技機。
【発明の詳細な説明】
【０００１】
【発明の属する技術分野】
本発明は、遊技機に関し、特に、表示手段に表示される図柄を立体的に表示する遊技機に関する。
【０００２】
【従来の技術】
パチンコ機等の遊技機には、液晶表示装置等の表示装置が設けられている。この表示装置には、抽選結果を示すための抽選図柄や演出効果を高めるための演出図柄等が表示される。
例えば、遊技球が始動口に入賞すると、抽選を行い、表示装置の図柄表示部（例えば、左図柄表示部、中図図柄表示部、右図柄表示部）に数字やキャラクタ等の抽選図柄を変動表示した後、抽選結果に対応する抽選図柄を停止表示する。あるいは、キャラクタや背景図柄等の演出図柄を表示する。
このような遊技機において、よりリアルな画像を表示できるようにするために、表示装置の表示画面に表示される画像を立体的に表示する立体表示装置を備えた遊技機が提案されている。（特許文献１参照）
この従来の遊技機は、表示装置の前面側の、表示装置に表示される変動しない背景図柄に対応する位置に、背景図柄と略同一形状のレンズを設けている。これにより、表示装置に表示される背景図柄が立体的に表示される。
【０００３】
【特許文献１】
特開２００１−２７６３５７号公報
【０００４】
【発明が解決しようとする課題】
ところで、遊技者は、表示装置に表示される図柄のうち抽選図柄や予告図柄等の変動する図柄（変動図柄）に注目する傾向が高い。
これに対し、従来の遊技機では変動しない背景図柄を、常時立体的に表示しているため、遊技者の注目度が低い。
そこで、本発明は、遊技者に対して効果的な表示を行うことができる遊技機を提供することを目的とする。
【０００５】
【課題を解決するための手段】
前記課題を解決するための本発明の第１発明は、請求項１に記載されたとおりの遊技機である。
請求項１に記載の遊技機では、表示手段の前面側に透光体を配置するとともに、透光体の、表示手段に表示される変動図柄に対応する位置にレンズアレイを設けている。これにより、遊技者に対して効果的な表示を行うことができる。なお、レンズアレイとしては、表示手段に表示される変動図柄を表示手段と反対側の空間に結像するレンズアレイを設けるのが好ましい。また、透光体の一部がレンズアレイである複合透光体を用いるため、レンズアレイにより表示される変動図柄の他の図柄に対する相対的な視覚効果を高めることができる。
【０００６】
【発明の実施の形態】
以下に、本発明の実施の形態を図面を参照して説明する。
本発明の遊技機の一実施の形態の概略構成図を図１に示す。本実施の形態は、本発明をパチンコ機に適用したものである。
本実施の形態は、主制御装置１０、副制御装置２０、表示制御装置３０等を有している。これらの主制御装置１０、副制御装置２０、表示制御装置３０等によって、パチンコ機の動作が制御される。
【０００７】
主制御装置１０は、遊技球が始動口に入賞したことを示す始動信号、遊技球が入所口に入賞したことを示す入賞信号、記憶回路に記憶されているプログラム等に基づいて、副制御装置２０へのコマンド信号あるいは表示制御装置３０へのコマンド信号を副制御装置２０に出力する。例えば、始動信号の入力により（抽選開始条件の成立）抽選を行い、抽選結果を抽選図柄の変動表示結果によって表示装置５０に表示させるための変動パターンコマンド信号及び停止図柄コマンド信号を出力する。また、スピーカ２１やランプ２２を制御するためのコマンド信号を出力する。
なお、図示はしていないが、副制御装置２０や表示制御装置３０以外に、パチンコ球が入賞口に入賞した時に入賞口に対応する賞球を払い出す賞球装置を制御する賞球制御装置や、特別入賞口の開閉部材を開閉駆動する駆動装置等が設けられている。主制御装置１０は、これらの装置へのコマンド信号も出力する。
【０００８】
副制御装置２０は、主制御装置１０から出力されたコマンド信号に基づいてスピーカ２３や表示ランプ２４を制御する。
また、副制御装置２０は、主制御装置１０から出力されたコマンド信号が表示制御装置３０へのコマンド信号である場合には、そのコマンド信号を表示制御装置３０に出力する。
【０００９】
表示制御装置３０は、主制御装置１０から出力されたコマンド信号に基づいて表示装置（例えば、液晶表示装置やプラズマディスプレイ等）５０を制御する。例えば、表示装置５０の図柄表示部（例えば、左図柄表示部、中図柄表示部、右図柄表示部）に、変動パターンコマンド信号に応じた変動パターンで抽選図柄を変動表示させるとともに、停止図柄コマンド信号に応じた抽選図柄を停止表示させる。また、表示装置５０に背景図柄や、遊技状態を予告する予告図柄等を表示させる。抽選図柄や予告図柄としては、数字、キャラクタ、風景等の種々の図柄が用いられる。
抽選図柄、背景図柄や予告図柄等は、表示装置５０に２次元画像で表示される。
【００１０】
また、本実施の形態では、表示装置５０の前面に透光体６０が設けられている。本実施の形態で用いる透光体６０の側面図が図２に、正面図が図３に示されている。
透光体６０は、表示装置５０の表示画面と略等しい大きさを有し、表示画面に表示されている画像を、表示装置５０が配置されている側と反対側から視認可能に構成されている。透光体６０は、例えば、樹脂あるいはガラス等によって形成される。
透光体６０は、レンズ体として構成することもできる。透光体６０をレンズ体として構成した場合には、表示装置５０の表示画面に表示されている画像が拡大あるいは縮小された状態で視認可能である。
【００１１】
透光体６０の一部（図３では、左下部）にはレンズアレイ７０が設けられている。レンズアレイ７０は、表示装置５０の表示画面に表示されている画像を、表示装置５０が配置されている側とは反対側の空間に結像するものである（例えば、特開２００１−２５５４９３号公報参照）。
レンズアレイ７０は、図４に示すように、レンズアレイ体７０ａと７０ｂを張り合わせて構成されている。レンズアレイ体７０ａ（７０ｂ）は、樹脂やガラス等によって形成された透光部材（透光板）７１（７３）と、透光部材７１（７３）の両面に、それぞれの光軸７５が互いに平行となるように２次元状（例えば、マトリクス状）に配列されたマイクロ凸レンズ７２ａ、７２ｂ（７４ａ、７４ｂ）により構成されている。なお、透光部材７１（７３）の両面に設けられているマイクロ凸レンズ７２ａと７２ｂ（７４ａと７３ｂ）は、それぞれの光軸７５が同軸に配置されたもの同士で対を形成し、レンズ系を構成している。すなわち、光軸が同軸に配置された一対のマイクロ凸レンズにより構成されるレンズ系が、互いに平行に２次元状に配列されている。
ここで、表示装置５０と対向するマイクロ凸レンズレンズ（図４では、レンズアレイ体７１の左側のマイクロ凸レンズ７２ａ）の焦点距離をＦ１、表示装置５０と最も離れているマイクロ凸レンズ（図４では、レンズアレイ体７３の右側のマイクロ凸レンズ７４ｂ）の焦点距離をＦ２とする。そして、レンズアレイ７０を表示装置５０から距離Ｆ１の位置（表示装置５０と透光部材７１との間の距離が略Ｆ１の位置）に配置すると、表示装置５０の表示画面に表示されている画像は、表示装置５０が配置されている側と反対側の、レンズアレイ７０から距離Ｆ２の位置（透過部材７３から略Ｆ２離れた位置）に結像される（結像面７６）。
【００１２】
レンズアレイ７０は、レンズアレイ体７０ａと７０ｂを張り合わせて構成されるため、レンズアレイ７０の光学特性の精度を高めるためには、レンズアレイ体７０ａと７０ｂの張り合わせ精度が要求される。
本実際の形態では、レンズアレイ体７０ａと７０ｂの張り合わせ精度を高める方法として、透光体６０に位置決め手段を設けている。この位置決め手段を用いることによって、レンズアレイ７０の透光体６０への取り付け作業と、レンズアレイ体７０ａ、７０ｂ同士の張り合わせ作業を容易に、精度よく行うことができる。
以下に、位置決め手段を用いて透光体６０にレンズアレイ７０を取り付ける方法を説明する。
【００１３】
図５は、透光体にレンズアレイを取り付ける方法の１例を示す図である。図５に示す方法は、一方のレンズアレイ体を透光体と一体成形するとともに、他方のレンズアレイ体を別体に形成し、他方のレンズアレイ体を位置決め手段を用いて一方のレンズアレイ体に張り合わせるものである。
すなわち、透光体１１０を形成する際に、一方のレンズアレイ体１２０ａの透光部材１２１と、透過部材１２１の両面に設けられるマイクロ凸レンズ１２２ａ及び１２２ｂを同時に形成する。この時、一方のレンズアレイ体１２０ａのマイクロ凸レンズ１２２ａと他方のレンズアレイ体１２０ｂのマイクロ凸レンズ１２６ｂを収容する収容部１１１、他方のレンズアレイ体１２０ｂの透過部材１２５の外周部（フランジ部）を位置決めする位置決め手段としての段部１１２と外周壁部１１３も形成する。
また、透過部材１２５と、透過部材１２５の両面に設けられるマイクロ凸レンズ１２６ａ及び１２６ｂを有する他方のレンズアレイ体１２０ｂを形成する。
そして、他方のレンズアレイ体１２０ｂの透過部材１２５の外周部（フランジ部）を、透光体１１０に形成されている段部１１２と外周壁部１１３によって位置決めして組み付ける。
これにより、レンズアレイ体１２０ａと１２０ｂのマイクロ凸レンズ１２２ａ及び１２２ｂと１２６ａ及び１２６ｂの光軸が所定方向に調整された状態で、レンズアレイ体１２０ｂが透光体１１０に取り付けられる。
この方法では、一方のレンズアレイ体１２０ａを透光体１１０と一体形成しているため、取り付け作業が容易となる。また、張り合わせシロを小さくすることができるため、張り合わせシロによる画像の乱れを低減することができる。
なお、マイクロ凸レンズ１２２ａ及び１２２ｂ（１２６ａ及び１２６ｂ）は、透過部材１２１（１２５）に接着剤等を用いて取り付けることもできる。
【００１４】
図６は、透光体にレンズアレイを取り付ける方法の他の例を示す図である。図６に示す方法は、透光体に一方及び他方のレンズアレイ体を位置決めする位置決め手段を形成し、位置決め手段を用いて一方及び他方のレンズアレイ体を張り合わせるものである。
すなわち、透光体１３０に、一方のレンズアレイ体１４０ａのマイクロ凸レンズ１４２ａ及び他方のレンズアレイ体１４０ｂのマイクロ凸レンズ１４６ｂを収容可能な孔１３１、一方のレンズアレイ体１４０ａの透光部材１４１の外周部（フランジ部）を位置決めする位置決め手段としての段部１３２ａ及び外周壁部１３３ａ、他方のレンズアレイ体１４０ｂの透光部材１４５の外周部（フランジ部）を位置決めする位置決め手段としての段部１３２ｂ及び外周壁部１３３ａを形成する。
また、透光部材１４１と、透光部材１４１の両面に設けられるマイクロ凸レンズ１４２ａ及び１４２ｂを有する一方のレンズアレイ体１４０ａ、透光部材１４５と、透光部材１４５の両面に設けられるマイクロ凸レンズ１４６ａ及び１４６ｂを有する他方のレンズアレイ体１４０ｂを形成する。
そして、一方のレンズアレイ体１４０ａの透光部材１４１の外周部（フランジ部）を、透光体１３０に形成されている段部１３２ａと外周壁部１３３ａによって位置決めして組み付ける。また、他方のレンズアレイ体１４０ｂの透光部材１４５の外周部（フランジ部）を、透光体１３０に形成されている段部１３２ｂと外周壁部１３３ｂによって位置決めして組み付ける。
これにより、レンズアレイ体１４０ａと１４０ｂのマイクロ凸レンズ１４２ａ及び１４２ｂと１４６ａ及び１４６ｂの光軸が所定方向に調整された状態で、レンズアレイ体１４０ａ及び１４０ｂが透光体１３０に取り付けられる。
【００１５】
図７は、透光体にレンズアレイを取り付ける方法の他の例を示す図である。図７に示す方法は、透光体と一方及び他方のレンズアレイ体に一方及び他方のレンズアレイ体を位置決めする位置決め手段を形成し、位置決め手段を用いて一方及び他方のレンズアレイ体を張り合わせるものである。
すなわち、一方のレンズアレイ体１６０ａの透光部材１６１の外周縁に沿って透光部材１６１から略直角に延びる突部１６１ａを位置決め手段として形成する。また、他方のレンズアレイ体１６０ｂの透光部材１６５の外周縁に沿って透光部材１６５から略直角に延びる突部１６５ａを位置決め手段として形成する。
さらに、透光体１５０に、一方のレンズアレイ体１６０ａの突部１６１ａの外周縁及び他方のレンズアレイ体１６０ｂａの突部１６５ａの外周縁が勘合可能な孔１５１を位置決め手段として形成する。なお、突部１６１ａ及び１６５ａは、外周縁に沿って連続して形成してもよいし、離散的に形成してもよい。
そして、一方のレンズアレイ体１６０ａの透光部材１６１及び他方のレンズアレイ体１６０ｂ透光部材１６０ｂを透光体１５０に形成されている孔１５１に挿入する。この時、一方のレンズアレイ体１６０ａの突部１６１ａの先端部と他方のレンズアレイ体１６０ｂの突部１６５ａの先端部を当接させる。
これにより、レンズアレイ体１６０ａと１６０ｂのマイクロ凸レンズ１６２ａ及び１６２ｂと１６６ａ及び１６６ｂの光軸が所定方向に調整された状態で、レンズアレイ体１６０ａ及び１６０ｂが透光体１５０に取り付けられる。
【００１６】
透光体６０にレンズアレイ７０を取り付ける場合、透光体６０とレンズアレイ７０との結合部が形成され、この結合部によって画像が乱れる可能性がある。また、透光体６０の外周部によっても画像が乱れる可能性がある。
このため、図８に示すように、透光体６０とレンズアレイ７０との結合部と、透光体６０の外周部を遮蔽する遮蔽部材１７０を設け、結合部及び外周部による画像を遮蔽するのが好ましい。
なお、透光体６０とレンズアレイ７０との結合部にのみ、結合部を遮蔽する遮蔽部材を設けてもよい。
このように画像が乱れる箇所を遮蔽することによって、視覚効果を高めることができる。
【００１７】
レンズアレイ７０は、遊技者の注目度が高い変動図柄が表示される位置に対応させて配置するのが好ましい。例えば、抽選結果を表示する抽選図柄が変動表示される位置（例えば、表示装置の左図柄表示部、中図柄表示部、右図柄表示部に対応する位置）、遊技状態を予告する予告図柄が変動表示される位置等に対応させて配置する。
レンズアレイを、表示装置の抽選図柄を表示する位置に対応させて配置した例を図９に示す。
図９では、表示装置５０に、左図柄表示部５１ａ、中図柄表示部５１ｂ、右図柄表示部５１ｃが設けられている。そして、表示装置５０の左図柄表示部５１ａ、中図柄表示部５１ｂ、右図柄表示部５１ｃに対応する透光体６０の位置にレンズアレイ７１ａ、７１ｂ、７１ｃを配置している。これにより、抽選結果を示す抽選図柄が立体表示されるため、遊技者に対して効果的に表示を行うことができる。
なお、レンズアレイの設置位置や数は適宜変更可能である。例えば、最後に抽選図柄が停止表示される右図柄表示部５１ｃに対応するレンズアレイ７１ｃのみを設けてもよい。
【００１８】
本実施の形態では、レンズアレイが固定配置されている。このため、レンズアレイが配置されている位置に対応する表示装置の表示位置に変動図柄が表示されていない時も立体画像が表示される。
しかしながら、立体画像を常時表示すると目が疲れ易い。また、常時立体画像を表示すると、変動図柄が立体表示されたときの遊技者の注目度が低くなる。
このため、レンズアレイが配置されている位置に対応する表示装置の表示位置に変動図柄が表示されない場合には、レンズアレイが配置されている位置に対応する表示装置の表示位置に、例えば、単色の背景図柄等のできるだけ目立たない画像を表示させるのが好ましい。
【００１９】
以上の実施の形態ではレンズアレイを固定配置したが、レンズアレイを表示装置に対して相対移動可能に構成することにより、遊技者に対してより効果的な表示を行うことができる。
レンズアレイを表示装置に対して相対移動可能に構成した他の実施の形態を以下に説明する。
本実施の形態では、図１０及び図１１に示すように、表示装置５０の前面にレンズアレイ７０を移動可能に配置している。図１０及び図１１では、レンズアレイ７０が、表示装置５０に対して左右方向（ｘ方向）及び上下方向（ｙ方向）に移動可能に構成されている。
レンズアレイ７０を移動させる移動手段としては、モータ等の種々の移動手段を用いることができる。
【００２０】
レンズアレイ７０の移動を制御する方法としては種々の方法を用いることができる。
例えば、立体表示させる図柄を設定しておき、設定した図柄が表示装置５０の表示画面に表示されていない時には、レンズアレイ７０を待機位置に移動させる。待機位置としては、任意の位置を設定することができる。なお、レンズアレイ７０は、表示装置５０との間の距離が焦点距離Ｆ１に略等しい時に立体表示を行い、焦点距離Ｆ１より短い場合あるいは長い場合には立体表示を行わず、透光体６０と同様の働きをする。したがって、待機位置として、表示装置５０との間の距離が焦点距離Ｆ１と異なる位置を設定することもできる。例えば、待機させる場合に、レンズアレイ７０を表示装置５０に接近させた位置に移動させる。
そして、設定した図柄が表示装置の表示画面に表示される時に、その表示位置に対応する位置にレンズアレイ７０を移動させる。その後は、設定した図柄の表示画面上の表示位置の移動に追従させてレンズアレイ７０を移動させる。
なお、設定した図柄が表示装置５０の表示画面に表示されなくなった時には、その時の位置で待機させてもよい。
【００２１】
レンズアレイ７０を変動図柄の表示位置に対応させて配置する方法を用いることもできる。
図１２に、変動図柄である抽選図柄が表示される時に、レンズアレイ７０を移動させて変動図柄を立体表示する方法を示す。図１２に示す方法は、最後に抽選図柄が停止表示される右図柄表示部５１ｃに表示される変動図柄を立体表示するものである。
右図柄表示部５１ｃに抽選図柄が変動表示されていない時には、レンズアレイ７０を表示装置５０の表示画面の外周方向の待機位置に移動させる。
そして、右図柄表示部５１ｃに抽選図柄の変動表示が開始されると、レンズアレイ７０を右図柄表示部５１ｃの表示位置に対応する位置に移動させ、右図柄表示部５１ｃに表示される変動図柄（例えば、抽選図柄）を立体表示する。
【００２２】
また、所定条件が満足される時にレンズアレイ７０による立体表示を行う方法を用いることができる。
例えば、図１２に示す表示装置５０の左図柄表示部５１ａ、中図柄表示部５１ｂに停止表示される図柄によって構成される図柄が所定図柄となった時（例えば、リーチ状態となった時）に、レンズアレイ７０を右図柄表示部５１ｃに対応する位置に移動させて、右図柄表示部５１ｃに表示される抽選図柄を立体表示させる。
【００２３】
本発明は、実施の形態で説明した構成に限定されることなく種々の変更、追加、削除が可能である。
例えば、図柄を立体表示させる立体表示手段としてマイクロ凸レンズからなるレンズアレイを用いたが、これ以外の種々の構成の立体表示手段を用いることができる。
また、パチンコ機の表示装置に表示される図柄を立体表示させる場合について説明したが、本発明はパチンコ機以外の種々の遊技機の表示装置に表示される図柄を立体表示させる場合に適用することができる。
【００２４】
なお、本発明は、以下のように構成することができる。
「（態様１）抽選開始条件の成立により抽選を行い、抽選結果を抽選図柄の変動表示結果によって表示手段に表示する遊技機であって、表示手段の前面側に配置され、一部がレンズアレイで構成されている透光体を備え、レンズアレイは、表示手段に表示される変動図柄に対応する位置に設けられ、表示手段に表示される変動図柄を表示手段と反対側の空間に結像する、遊技機。」として構成することができる。
態様１の遊技機では、表示手段の前面側に透光体を配置するとともに、透光体の、表示手段に表示される変動図柄に対応する位置に、表示手段に表示される変動図柄を表示手段と反対側の空間に結像するレンズアレイを設けている。これにより、表示装置に表示される変動図柄が立体的に表示されるため、遊技者に対して効果的な表示を行うことができる。また、変動図柄を立体的に表示するため、静止図柄を立体的に表示する場合に比べて見易くなる。さらに、透光体の一部がレンズアレイである複合透光体を用いるため、レンズアレイにより立体的に表示される変動図柄の他の図柄に対する相対的な視覚効果を高めることができる。透光体としてレンズ体を用いる場合には、相対的な視覚効果をより高めることができる。レンズアレイとして、表示手段に表示される変動図柄を表示手段と反対側の空間に結合するレンズアレイを用いるのが好ましい。
なお、本明細書では、「変動図柄」は、位置あるいは画像（例えば、キャラクタの表情）が変動ずる図柄をいう。また、「透光体」は、表示手段の表示画面に表示されている画像を表示手段が配置されている側と反対側から視認可能であるものをいう。また、「レンズ体」は、表示手段の表示画面に表示されている画像を表示手段が配置されている側と反対側から拡大あるいは縮小された状態で視認可能であるものをいう。また、「レンズアレイ」は、表示手段の表示画面に表示されている２次画像を空間に結像することができる機能を備えているものをいう。
また、「（態様２）態様１の遊技機であって、レンズアレイは、複数のレンズアレイ体を張り合わせて構成されている遊技機。」として構成することができる。
態様２の遊技機では、複数のレンズアレイ体を張り合わせて構成されるレンズアレイを用いている。複数のレンズアレイ体を張り合わせて構成したレンズアレイは、簡単な構成で２次元画像を立体的に表示することができる。このようなレンズアレイを用いることにより、簡単な構成で遊技者に対して効果的な表示を行うことができる。
また、「（態様３）態様２の遊技機であって、透光体には、レンズアレイ位置決め手段が設けられている遊技機。」として構成することができる。
態様３の遊技機では、透光体にレンズアレイ位置決め手段を設けている。これにより、レンズアレイを透光体に容易に取り付けることができる。特に、レンズアレイ体を透光体に取り付ける作業とレンズアレイ体を張り合わせる作業を同時に行う場合には、レンズアレイ体同士を正確に位置合わせする必要がある。透光体に設けたレンズアレイ位置決め手段をレンズアレイ体同士の位置決め手段としても用いることにより、透光体の一部がレンズアレイである復号レンズを容易に構成することができる。
また、「（態様４）態様１〜３のいずれかの遊技機であって、透光体とレンズアレイとの接合部を遮蔽する遮蔽部材が設けられている遊技機。」として構成することができる。
態様４の遊技機では、透光体とレンズアレイとの接合部を遮蔽する遮蔽部材を設けている。透光体とレンズアレイとの接合部は光学特性がよくないため、透光体とレンズアレイとの接合部における画像が乱れる可能性がある。遮蔽部材によって透光体とレンズアレイとの接合部を遮蔽することにより、接合部での画像の乱れが遮蔽され、視覚効果が高まる。
また、「（態様５）抽選開始条件の成立により抽選を行い、抽選結果を抽選図柄の変動表示結果によって表示手段に表示する遊技機であって、表示手段に表示される図柄を表示手段と反対側の空間に結像するレンズアレイと、表示手段とレンズアレイとの相対位置を変更可能な位置調整手段と、を備える遊技機。」として構成することができる。
態様５の遊技機では、表示手段に表示される図柄を表示手段と反対側の空間に結像するレンズアレイを設けるとともに、レンズアレイと表示手段との相対位置を変更可能な位置調整手段を設けている。これにより、表示手段の任意の位置に表示される図柄を立体的に表示することができるため、遊技者に対して効果的な表示を行うことができる図柄を任意に選択することができる。
また、「（態様６）態様５の遊技機であって、位置調整手段は、表示手段に表示される所定の図柄の位置に基づいて表示手段とレンズアレイとの相対位置を調整する遊技機。」として構成することができる。
態様６の遊技機では、表示手段に表示される所定の図柄の位置に基づいて表示手段とレンズアレイとの相対位置を調整する。例えば、表示手段に表示される所定の図柄の位置に追従するように表示手段とレンズアレイとの相対位置を調整することにより、所定の図柄が空間を移動するように表示することができる。これにより、視覚効果を高めることができる。なお、変動図柄を所定の図柄とすることにより、遊技者に対してより効果的な表示を行うことができる。
また、「（態様７）態様５または６の遊技機であって、位置調整手段は、所定の条件が満足された時に表示手段とレンズアレイとの相対位置を調整する遊技機。」として構成することができる。
態様７の遊技機では、所定の条件が満足された時に表示手段とレンズアレイとの相対位置を調整する。これにより、遊技者に対してより効果的な表示を行うことができる。
また、「（態様８）態様１〜７のいずれかの遊技機であって、レンズアレイによって空間に結像する図柄は、抽選結果を表示する抽選図柄または所定の演出図柄の少なくとも一方である遊技機。」として構成することができる。
態様８の遊技機では、抽選結果を表示する抽選図柄または所定の演出図柄の少なくとも一方を空間に結像する。このように、遊技者が特に注目している抽選図柄あるいは予告図柄等の所定の演出図柄を立体的に表示することにより、視覚効果をより高めることができる。
【００２５】
【発明の効果】
以上説明したように、請求項１に記載の遊技機を用いれば、遊技者に対して効果的な表示を行うことができる
【図面の簡単な説明】
【図１】本発明の一実施の形態の概略構成図である。
【図２】本発明の一実施の形態で用いるレンズ体を示す図である。
【図３】図２のＩＩＩ矢視図である。
【図４】レンズアレイの概略構成図である。
【図５】レンズアレイをレンズ体に組み付ける方法の１例を示す図である。
【図６】レンズアレイをレンズ体に組み付ける方法の他の例を示す図である。
【図７】レンズアレイをレンズ体に組み付ける方法の他の例を示す図である。
【図８】レンズ体の他の例を示す図である。
【図９】レンズ体の他の例を示す図である。
【図１０】本発明の他の実施の形態で用いるレンズアレイを示す図である。
【図１１】図１０のＸＩ矢視図である
【図１２】本発明の他の実施の形態で用いるレンズアレイを示す図である。
【符号の説明】
３０  表示制御装置
５０  表示装置
５１ａ、５１ｂ、５１ｃ  図柄表示部
６０  レンズ体
６１ａ、６１ｂ、６１ｃ、７０レンズアレイ
７０ａ、７０ｂ  レンズアレイ体
７１、７３  透明板
７２ａ、７２ｂ、７４ａ、７４ｂ  凸レンズ
【図１】
2004180853.tif 000003
【図２】
2004180853.tif 000004
【図３】
2004180853.tif 000005
【図４】
2004180853.tif 000006
【図５】
2004180853.tif 000007
【図６】
2004180853.tif 000008
【図７】
2004180853.tif 000009
【図８】
2004180853.tif 000010
【図９】
2004180853.tif 000011
【図１０】
2004180853.tif 000012
【図１１】
2004180853.tif 000013
【図１２】
2004180853.tif 000014